(57)【要約】【課題】筐体の大型化を抑制することができると共に、赤外線フィルタの配置に関しデザイン上の制約が生じない携帯通信端末装置を提供する。【解決手段】筐体と、筐体の先端側内部に収納されて、筐体表面に配置される音声出力孔を介して音声を筐体外部に出力する受話部スピーカと、筐体の先端側内部に収納されて、赤外線通信を行う赤外線通信部と、赤外線通信部に対向して筐体の先端側端面に配置されるＩｒＤＡフィルタとを備えた携帯通信端末装置において、受話部スピーカ２１と赤外線通信部２０とが、筐体の先端側内部で筐体幅方向に並んで配置され、ＩｒＤＡフィルタ１３が、筐体の先端側端面の受話部スピーカ２１に対向する位置と赤外線通信部２０に対向する位置とにわたって配置される。【選択図】図３
2008079081.tif 000002
【特許請求の範囲】
【請求項１】
筐体と、
前記筐体の先端側内部に収納されて、筐体表面に配置される開口部を介して音声を筐体外部に出力する受話部スピーカと、
前記筐体の先端側内部に収納されて、赤外線通信を行う赤外線通信部と、
前記赤外線通信部に対向して前記筐体の先端側端面に配置されるカバー部と
を備えた携帯通信端末装置において、
前記受話部スピーカと前記赤外線通信部とが、前記筐体の先端側内部で筐体幅方向に並んで配置され、前記カバー部が、前記筐体の先端側端面の前記受話部スピーカに対向する位置と前記赤外線通信部に対向する位置とにわたって配置されることを特徴とする携帯通信端末装置。
【請求項２】
前記受話部スピーカと前記赤外線通信部とは、前記筐体幅方向の中央部を間に挟んで配置されていることを特徴とする請求項１に記載の携帯通信端末装置。
【請求項３】
前記筐体は、前記受話部スピーカを収容する収容部を形成して、前記筐体の厚さ方向に延びるリブ部を備え、
前記収容部は、前記開口部に連通することを特徴とする請求項２に記載の携帯通信端末装置。
【請求項４】
前記カバー部は、前記受話部スピーカと対向する位置に、前記リブ部に当接する当接部を有することを特徴とする請求項３に記載の携帯通信端末装置。
【請求項５】
前記受話部スピーカと前記赤外線通信部とは、前記筐体の内部に配置される基板の同一面上に実装されることを特徴とする請求項１から４のいずれか一項に記載の携帯通信端末装置。
【請求項６】
前記赤外線通信部は、受信部と送信部とが前記筐体幅方向に並んで配置され、前記受話部スピーカが配置される側に前記受信部が配置されることを特徴とする請求項１から５のいずれか一項に記載の携帯通信端末装置。
【発明の詳細な説明】
【技術分野】
【０００１】
本発明は、携帯通信端末装置に関し、特に、筐体の先端側内部に赤外線通信部を配置した携帯通信端末装置に関する。
【背景技術】
【０００２】
従来、筐体の先端側内部に赤外線通信部を配置すると共に、先端側端面にカバー部（赤外線フィルタ）を配置した携帯通信端末装置が知られており、このような携帯通信端末装置として、例えば、「携帯通信端末」（特許文献１参照）或いは「携帯情報端末装置」（特許文献２参照）がある。
図７は、従来の携帯通信端末装置の赤外線通信部及び赤外線フィルタの配置構造（その１）の概略説明図である。図８は、従来の携帯通信端末装置の赤外線通信部及び赤外線フィルタの配置構造（その２）の概略説明図である。
【０００３】
「携帯通信端末」（特許文献１参照）は、ＬＣＤ等の表示装置が装着された表示部筐体の先端側内部に、ＩｒＤＡ（Ｉｎｆｒａｒｅｄ  Ｄａｔａ  Ａｓｓｏｃｉａｔｉｏｎ）規格による赤外線通信部が配置されており、表示部筐体の先端側面に、例えば、ポリカーボネート成型品からなる赤外線フィルタが組み込まれている。また、赤外線通信部の筐体内側には、受話部スピーカ（レシーバ）が配置されている。
つまり、図７に示すように、表示部筐体１の先端部の幅方向略中央位置に、赤外線フィルタ２、赤外線通信部３、受話部スピーカ４が表示部筐体１の長手方向に略一直線上に並んで配置された、部品レイアウト構造を有している。
【０００４】
「携帯情報端末装置」（特許文献２参照）は、ＬＣＤ等の表示装置が装着された表示部筐体の先端側内部に、ＩｒＤＡ規格による赤外線通信部が、受話部スピーカと横並びに配置されており、表示部筐体の幅方向中央から横にずれた先端側面に、赤外線フィルタが組み込まれている。
つまり、図８に示すように、表示部筐体１の先端部の幅方向中央から横にずれた位置に、赤外線フィルタ２、赤外線通信部３が表示部筐体１の長手方向に略一直線上に並び、赤外線通信部３の横並び（表示部筐体１の幅方向）に隣接して受話部スピーカ４が配置された、部品レイアウト構造を有している。
【特許文献１】特開２００４−００７１４７号公報
【特許文献２】特開２００１−２３７９５３号公報
【発明の開示】
【発明が解決しようとする課題】
【０００５】
しかしながら、従来の「携帯通信端末」（特許文献１参照）の部品レイアウト構造においては、赤外線通信部３を筐体先端部の幅方向中央に配置することにより赤外線フィルタ２が幅方向略中央に位置するので、デザイン上有利であるが、赤外線通信部３と受話部スピーカ４が表示部筐体１の長手方向に並んで配置される（図７参照）ため、配置スペースが筐体長手方向に長くなって筐体が大型化してしまう。
【０００６】
また、従来の「携帯情報端末装置」（特許文献２参照）の部品レイアウト構造においては、赤外線通信部３が、受話部スピーカ４と横並びに配置され、表示部筐体１の幅方向中央から横にずれた位置に位置している（図８参照）ため、配置スペースが表示部筐体１の長手方向に長くならず表示部筐体１の大型化を抑制することができるが、赤外線フィルタ２が表示部筐体１の幅方向中央から横にずれて位置することになり、デザイン上の制約が生じてしまう。
【０００７】
なお、赤外線通信部と受話部スピーカを筐体の厚さ方向に配置した場合、配置スペースが筐体の長手方向に長くならず、デザイン上の制約も生じないが、筐体が厚くなってしまうので、筐体の薄型化に不利となる。
本発明の目的は、筐体の大型化を抑制することができると共に、赤外線フィルタの配置に関しデザイン上の制約が生じない携帯通信端末装置を提供することである。
【課題を解決するための手段】
【０００８】
上記目的を達成するため、本発明に係る携帯通信端末装置は、筐体と、前記筐体の先端側内部に収納されて、筐体表面に配置される開口部を介して音声を筐体外部に出力する受話部スピーカと、前記筐体の先端側内部に収納されて、赤外線通信を行う赤外線通信部と、前記赤外線通信部に対向して前記筐体の先端側端面に配置されるカバー部とを備えた携帯通信端末装置において、前記受話部スピーカと前記赤外線通信部とが、前記筐体の先端側内部で筐体幅方向に並んで配置され、前記カバー部が、前記筐体の先端側端面の前記受話部スピーカに対向する位置と前記赤外線通信部に対向する位置とにわたって配置されることを特徴としている。
【０００９】
また、本発明は、前記受話部スピーカと前記赤外線通信部とが、前記筐体幅方向の中央部を間に挟んで配置されていることが好ましい。
また、本発明は、前記筐体が、前記受話部スピーカを収容する収容部を形成して、前記筐体の厚さ方向に延びるリブ部を備え、前記収容部が、前記開口部に連通することが好ましい。
【００１０】
また、本発明は、前記カバー部が、前記受話部スピーカと対向する位置に、前記リブ部に当接する当接部を有することが好ましい。
また、本発明は、前記受話部スピーカと前記赤外線通信部とが、前記筐体の内部に配置される基板の同一面上に実装されることが好ましい。
また、本発明は、前記赤外線通信部が、受信部と送信部とが前記筐体幅方向に並んで配置され、前記受話部スピーカが配置される側に前記受信部が配置されることが好ましい。
【発明の効果】
【００１１】
本発明によれば、筐体の大型化を抑制することができると共に、赤外線フィルタの配置に関しデザイン上の制約が生じない。
【発明を実施するための最良の形態】
【００１２】
以下、本発明を実施するための最良の形態について図面を参照して説明する。
図１は、本発明の一実施の形態に係る携帯通信端末装置の斜視図である。図１に示すように、携帯通信端末装置の一例である携帯電話機１０は、表示器側筐体１１と、テンキーなどの操作キーが配置されるキー側筐体１２を備えており、表示器側筐体１１とキー側筐体１２は、それぞれの一端部がヒンジ部を介して連結されることにより、自在に相互開閉することができる。表示器側筐体１１の先端部には、表示器側筐体１１と一体化して表示器側筐体１１の外観を形成するＩｒＤＡフィルタ（カバー部）１３が装着されている。
【００１３】
図２は、図１の表示器側筐体の分解構成図である。図２に示すように、表示器側筐体１１は、フロントケース１４とリアケース１５を重ね合わせて構成され、フロントケース１４には、液晶表示装置（Ｌｉｑｕｉｄ  Ｃｒｙｓｔａｌ  Ｄｉｓｐｌａｙ：ＬＣＤ）等の表示器１６が取り付けられる。フロントケース１４とリアケース１５の重ね合わせ時、両ケース１４，１５の間には、リアケース１５のサブウインド開口部１５ａに合わせて配置されたサブウインドモジュール１７、及び回路基板１８が挟み込まれる。フロントケース１４には、取り付けられた表示器１６を覆って、表示器カバー１９が装着される。
【００１４】
図３（ａ）は回路基板１８等が組み込まれた状態のフロントケース１４を示した平面説明図、図３（ｂ）は表示器側筐体１１の部分断面図である。図３に示すように、フロントケース１４に組み込まれた回路基板１８のリアケース１５に対向する面１８ａとは反対側の面１８ｂ（図３（ｂ）に示す右側の面）の、ヒンジ部とは反対側の先端部に、赤外線通信部（ＩｒＤＡ）２０と受話部スピーカ（レシーバ）２１が、筐体幅方向であるケース幅方向（図３（ａ）における左右方向）の中央部を挟んで、ケース幅方向に沿う横並びに配置されている。この赤外線通信部２０は、外部露出面の左右方向（ケース幅方向）に並んで配置された受信部と送信部を有している。
【００１５】
そして、並んで配置された赤外線通信部２０と受話部スピーカ２１に対向する、フロントケース１４のヒンジ部とは反対側の先端部には、赤外線通信部２０と受話部スピーカ２１とに対向する領域の全域を覆ってケース幅方向略中央に位置する、ＩｒＤＡフィルタ１３が装着されている。
つまり、表示器側筐体１１の先端側端面に配置されて、リアケース１５の一部を形成するＩｒＤＡフィルタ１３に対向して、回路基板１８の先端表面部、即ち、表示器側筐体１１の先端側内部には、赤外線通信部２０と受話部スピーカ２１とがケース幅方向に沿って配置されており、ＩｒＤＡフィルタ１３は、ケース幅方向の長さが、並置された赤外線通信部２０と受話部スピーカ２１のケース幅方向にわたる長さを有して構成され、表示器筐体１１の先端側端面のケース幅方向中央に配置されている。
【００１６】
赤外線通信部２０と受話部スピーカ２１の両部品を、横並びに配置して筐体の長手方向における全長を長くすることなくレイアウトすると共に、実装面を片面、即ち、回路基板１８の同一面上に実装することで、赤外線通信部２０と受話部スピーカ２１の配置長さは、ケース幅方向に交差するケース長手方向及びケース厚さ方向の何れにおいても最小になり、小型化が可能になる。また、ＩｒＤＡフィルタ１３は、赤外線通信部２０と受話部スピーカ２１とに対向して全域を覆うように配置されることで、赤外線通信部２０側に偏ることなく、ケース先端部のケース幅方向略中央に配置される。
【００１７】
このように、携帯電話機１０を、ケース長手方向長さ（全長）の短縮化及び薄型化により小型化すると共に、デザイン的な対称性（シンメトリー）を達成するため、ＩｒＤＡフィルタ１３のケース幅方向長さを長くし、赤外線通信部２０と受話部スピーカ２１を、回路基板１８上に横並びに配置しても、ＩｒＤＡフィルタ１３はケース幅方向中心部に位置するようにしている。
【００１８】
また、赤外線通信部２０の送受信の感度については、ＩｒＤＡフィルタ１３が導光板的な役目を果たすことになるので、赤外線通信部２０がケース幅方向の中央部に位置していなくても特性的に影響が出ることは無い。なお、赤外線通信部２０の受光素子（受信部）を、発光素子（送信部）に対してケース幅方向中央側、即ち、受話部スピーカ２１が配置されている側に位置させることで、受信感度をより高めることができる。これは、受話部スピーカ２１に対向する位置までＩｒＤＡフィルタ１３が配置されることにより、受光素子の受光領域を拡張させることができるためである。
【００１９】
図４は、リアケース１５の背面側の平面図である。図４のように、リアケース１５の背面側デザインの工夫により、リアケース１５の背面には、サブウィンドも受経る１７の表示窓を有するプレート１５ａがケース幅方向中央に長手方向に延びるように配置されている。そして、ＩｒＤＡフィルタ１３のケース幅方向の長さとリアケース１５のプレート幅１５ａのケース幅方向の長さとを同じ長さとして連続性を持たせることにより、デザイン上違和感のないものになっている。つまり、ＩｒＤＡフィルタ１３は、背面側から見たときに、リアケース１５と一体化して見える工夫をしているので、デザイン性を損なうことがない。
【００２０】
図５は、ＩｒＤＡフィルタ１３のフロントケース１４への装着を示し、（ａ）は装着前の説明斜視図、（ｂ）は装着後の説明平面図である。図５に示すように、ＩｒＤＡフィルタ１３は、ケース幅方向全長を、ケース幅方向の半分以上となるように大きく形成しており、両端に形成されている取付部１３ａが、フロントケース１４に形成された、ケース幅方向両側に位置する左右リブ１４ａとケース先端壁部１４ｃとによって形成される空間部に、上方から押し込んで（（ａ）参照）嵌め込むことにより、ＩｒＤＡフィルタ１３がフロントケース１４に対してケース長手方向（図５（ｂ）の上下方向）とケース幅方向（図５（ｂ）の左右方向）とに対して位置決めが成された状態でフロントケース１４に装着固定されている（（ｂ）参照）。
フロントケース１４の先端部に装着されたＩｒＤＡフィルタ１３は、ケース先端壁部１４ｃを切り欠いた凹部に一体的に組み込まれており、フィルタ外表面がケース先端側端面形状の一部となるようにフロントケース１４の一部を形成している（（ｂ）参照）。
【００２１】
このように、フロントケース１４に嵌合されたＩｒＤＡフィルタ１３は、フロントケース１４とリアケース１５で挟まれているだけなので、ＩｒＤＡフィルタ１３の交換に際し、フロントケース１４から外してＩｒＤＡフィルタ１３のみを交換することができ、且つ、作業も容易である。つまり、従来のＩｒＤＡフィルタは、全体的に小さく形成されており、超音波溶着や熱溶着によってケースに接合固定されていたので、ＩｒＤＡフィルタが傷付いて交換しようとするとケース一式での交換となってしまい、サービスコスト上昇の原因になっていた。
【００２２】
また、フロントケース１４には、受話部スピーカ２１を収容する箱形のスピーカ収容部を形成する、表示器側筐体１１の厚さ方向に延びる囲いリブ（リブ部）１４ｂが形成されている。そして、受話部スピーカ２１とＩｒＤＡフィルタ１３は、ケース長手方向に沿って隣り合わせに並べて配置されており、ＩｒＤＡフィルタ１３は、受話部スピーカ２１と対向する位置にフロントケース１４に形成された囲いリブ１４ｂに当接する当接部１３ｂを有して、この当接部１３ｂが囲いリブ１４ｂに当接した状態でフロントケース１４に組み込まれている（図５（ｂ）参照）。即ち、ＩｒＤＡフィルタ１３は、フロントケース１４に装着された受話部スピーカ２１に対向する位置に、囲いリブ１４ｂに当接する当接部１３ｂを有している。
このため、例えば、筐体落下時等に表示器側筐体１１のケース先端に衝撃がかかった場合でも、ＩｒＤＡフィルタ１３は、大型化されており、加えて、囲いリブ１４ｂによりケース内部への移動が規制されると共に剛性を確保することができるので、破損し難くなると共に、筐体内部の落ち込みを防止できる。
【００２３】
その上、ＩｒＤＡフィルタ１３は、落下衝撃にも耐えてが破損し難くなるので、材料を、例えば、ポリカーボネートからアクリルへと変更することができる。この結果、ポリカーボネートに比べてアクリルの方がクリア感があるので、赤外線通信の感度も良くなる。
なお、フロントケース１４に嵌合されたＩｒＤＡフィルタ１３は、フロントケース１４にリアケース１５が組み込まれて、両ケース１４，１５によって筐体厚さ方向で挟持されることにより、表示器側筐体１１から外れてしまうのを防止することができる。
【００２４】
図６は、受話部スピーカと音声出力孔の関係を示し、（ａ）は携帯電話機開状態の斜視図、（ｂ）は受話部スピーカが装着されたフロントケース１４の平面説明図である。図６に示すように、赤外線通信部２０と横並びに配置された受話部スピーカ２１は、ケース幅方向中央ではなく、幅方向の一方（（ｂ）において、左側）にずれて位置することになるが、受話部スピーカ２１からの音声を筐体外部に出力する音声出力孔（開口部）２２は、囲いリブ１４ｂに囲まれたスピーカ収容部に連通した状態で、フロントケース１４表面のケース幅方向中央に位置させる（（ａ）参照）。これにより、ユーザは、普通にフロントケース１４の真ん中に耳を当て受話部スピーカ２１からの音声を聞くことができ、その上、外観デザイン上も違和感を与えることがない。なお、音声出力孔２２をケース幅方向中央ではなく、受話部スピーカ２１の配置位置に対応させて幅方向の一方にずれて位置させるようにしても良い。
【００２５】
なお、本発明は、上述した実施の形態により説明したが、この実施の形態に限定されるものではない。従って、本発明の趣旨を逸脱することなく変更態様として実施するものも含むものである。例えば、上述した実施形態では、携帯通信端末装置として、折り畳み式の携帯電話機について説明したが、それ以外の携帯電話、ＰＤＡ（Ｐｅｒｓｏｎａｌ  Ｄｉｇｉｔａｌ  Ａｓｓｉｓｔａｎｔ）などの情報通信端末、更にＰＣ（Ｐｅｒｓｏｎａｌ  Ｃｏｍｐｕｔｅｒ）などの通信機器にも適用できる。
【図面の簡単な説明】
【００２６】
【図１】本発明の一実施の形態に係る携帯通信端末装置の斜視図である。
【図２】図１の表示器側筐体の分解構成図である。
【図３】（ａ）は回路基板１８等が組み込まれた状態のフロントケース１４を示した平面説明図、（ｂ）は表示器側筐体１１の部分断面図である。
【図４】リアケース１４の背面側の平面図である。
【図５】ＩｒＤＡフィルタ１３のフロントケース１４への装着を示し、（ａ）は装着前の説明斜視図、（ｂ）は装着後の説明平面図である。
【図６】受話部スピーカと音声出力孔の関係を示し、（ａ）は携帯電話機開状態の斜視図、（ｂ）は受話部スピーカが装着されたフロントケース１４の平面説明図である。
【図７】従来の携帯通信端末装置の赤外線通信部及び赤外線フィルタの配置構造（その１）の概略説明図である。
【図８】従来の携帯通信端末装置の赤外線通信部及び赤外線フィルタの配置構造（その２）の概略説明図である。
【符号の説明】
【００２７】
１０  携帯電話機
１１  表示器側筐体
１２  キー側筐体
１３  ＩｒＤＡフィルタ
１３ａ  取付部
１４  フロントケース
１４ａ  左右リブ
１４ｂ  囲いリブ
１４ｃ  ケース先端壁部
１５  リアケース
１５ａ  サブウインド開口部
１６  表示器
１７  サブウインドモジュール
１８  回路基板
１９  表示器カバー
２０  赤外線通信部
２１  受話部スピーカ
２２  音声出力孔
【図１】
2008079081.tif 000003
【図２】
2008079081.tif 000004
【図３】
2008079081.tif 000005
【図４】
2008079081.tif 000006
【図５】
2008079081.tif 000007
【図６】
2008079081.tif 000008
【図７】
2008079081.tif 000009
【図８】
2008079081.tif 000010